(57)【要約】【課題】従来技術の問題点を解決するためになされたものであり、その目的とするところは、装置の小型化や部品点数の低減、及び設置やメンテナンス等の作業性の向上が可能な光受信機を提供する。【解決手段】  引き込み用の光ファイバを介して伝送されてくる信号を受信し、前記引き込み用の光ファイバを介して伝送されてくる信号を電気信号に変換する光受信器において、  前記引き込み用の光ファイバの端部を、所定の曲率で収容する成端手段と、  前記引き込み用の光ファイバを介して伝送されてくる光信号を電気信号に変換する光電変換手段と、前記電気信号に変換された信号の利得が一定となるように利得を自動的に制御する自動利得制御手段とを、前記光受信機本体の内部に収容してなることを特徴とする光受信器。【選択図】  図１
2005227663.tif 000002
【特許請求の範囲】
【請求項１】
引き込み用の光ファイバを介して伝送されてくる信号を受信し、前記引き込み用の光ファイバを介して伝送されてくる信号を電気信号に変換する光受信器において、
前記引き込み用の光ファイバの端部を、所定の曲率で収容する成端手段と、
前記引き込み用の光ファイバを介して伝送されてくる光信号を電気信号に変換する光電変換手段と、
前記電気信号に変換された信号の利得が一定となるように利得を自動的に制御する自動利得制御手段とを、前記光受信機本体の内部に収容してなることを特徴とする光受信器。
【請求項２】
光受信機本体が、外部から水滴が浸入するのを防止した防滴構造を採用している請求項１に記載の光受信器。
【請求項３】
引き込み用の光ファイバが、画像信号と通信信号とを別々に伝送する２芯以上の光ファイバである請求項１に記載の光受信器。
【請求項４】
成端手段が、引き込み用の光ファイバの端部を、所定の曲率で収容する主たる成端手段と、引き込み用の光ファイバの端部を、所定の曲率で収容する補助用の成端手段とからなり、前記引き込み用の光ファイバの余長端が長い場合には、主たる成端手段と補助用の成端手段との間に、略８の字状に巻き付けることによって収容するものである請求項１に記載の光受信器。
【発明の詳細な説明】
【技術分野】
【０００１】
本発明は、ＣＡＴＶ用のＦＴＴＨ（Ｆｉｂｅｒ  Ｔｏ  Ｔｈｅ  Ｈｏｍｅ）で映像信号を受信する際に使用するのに好適な光受信器に関するものである。
【背景技術】
【０００２】
近年、ブロードバンド化の時代を迎え、ＡＤＳＬや光ファイバの急速な普及に伴って、ＣＡＴＶ用の画像信号を光ファイバで配信するＦＴＴＨが広まってきている。このＦＴＴＨは、従来のケーブルモデム方式とは異なり、映像と通信が完全に分離されるため、光ファイバは、通常で２芯必要となる。なお、通信方式としてＷＤＭ方式を採用した場合には、１芯の光ファイバでも映像と通信の双方が通信可能となる。
【０００３】
上記光ファイバ網は、ＣＡＴＶセンターから電力線等に沿って張り巡らされており、この光ファイバ網から加入者の自宅の所で光ファイバを分岐し、加入者の自宅に設けられた光受信器で受信するように構成されている。そのため、加入者の自宅に光受信器を設置する際に、当該光受信器に光ファイバを接続する必要がある。
【０００４】
従来方式の光受信器では、図１５に示すように、光受信器１００とは別個に光ファイバ１０１の余分な端部を収容する成端箱１０２を用意し、この成端箱１０２の内部で引き込み用の２芯の光ファイバ１０１との接続処理を行い、映像信号を取り出す光受信機用の光ファイバ１０３と、通信用の光ファイバ１０４とに各１芯にして、各々加入者宅の内部に引き込み処理を行うように構成されていた。
【発明の開示】
【発明が解決しようとする課題】
【０００５】
しかしながら、上記従来技術の場合には、次のような問題点を有している。すなわち、上記従来方式の光受信器の場合には、図１５に示すように、光受信器１００とは別個に成端箱１０２を用意する必要があるため、光受信器１００を設置する際や、光受信器１００のメンテナンス等に際して、成端箱１０２と光受信器１００の双方に対して、ビス等を用いてカバーを開閉したり、光ファイバの固定や接続作業等を行う必要があり、装置の大型化や部品点数の増加、作業の煩雑化を招くという問題点を有していた。
【０００６】
そこで、本発明は、上記従来技術の問題点を解決するためになされたものであり、その目的とするところは、装置の小型化や部品点数の低減、及び設置やメンテナンス等の作業性の向上が可能な光受信機を提供することにある。
【課題を解決するための手段】
【０００７】
上記の課題を解決するため、請求項１に記載された発明は、引き込み用の光ファイバを介して伝送されてくる信号を受信し、前記引き込み用の光ファイバを介して伝送されてくる信号を電気信号に変換する光受信器において、
前記引き込み用の光ファイバの端部を、所定の曲率で収容する成端手段と、
前記引き込み用の光ファイバを介して伝送されてくる光信号を電気信号に変換する光電変換手段と、
前記電気信号に変換された信号の利得が一定となるように利得を自動的に制御する自動利得制御手段とを、前記光受信機本体の内部に収容してなることを特徴とする光受信器である。
【０００８】
また、請求項２に記載された発明は、光受信機本体が、外部から水滴が浸入するのを防止した防滴構造を採用している請求項１に記載の光受信器である。
【０００９】
さらに、請求項３に記載された発明は、引き込み用の光ファイバが、画像信号と通信信号とを別々に伝送する２芯以上の光ファイバである請求項１に記載の光受信器である。
【００１０】
さらにまた、請求項４に記載された発明は、成端手段が、引き込み用の光ファイバの端部を、所定の曲率で収容する主たる成端手段と、引き込み用の光ファイバの端部を、所定の曲率で収容する補助用の成端手段とからなり、前記引き込み用の光ファイバの余長端が長い場合には、主たる成端手段と補助用の成端手段との間に、略8の字状に巻き付けることによって収容するものである請求項１に記載の光受信器である。
【発明の効果】
【００１１】
本発明によれば、装置の小型化や部品点数の低減、及び設置やメンテナンス等の作業性の向上が可能な光受信器を提供することができる。
【発明を実施するための最良の形態】
【００１２】
以下に、本発明の実施の形態について図面を参照して説明する。
【００１３】
図１及び図２は本発明の一実施の形態に係る光受信器を示すものである。
【００１４】
この光受信器１は、図２に示すように、その本体２がやや縦長の略直方体状の箱体形状に形成されている。上記光受信器本体２は、加入者宅の外部壁面等に取り付けられる硬質合成樹脂製の内部ケース３と、当該内部ケース３の外側に被着される同じく硬質合成樹脂製の外部カバー４とから構成されている。
【００１５】
上記外部カバー４は、ＡＢＳ樹脂等の硬質合成樹脂からなり、その背面４ａと下端面４ｂが前面開口したやや縦長の略直方体状の箱体形状に形成されている。この外部カバー４の表面には、レーザー光への注意を喚起する表示５や、コード類の取り付け位置を示す表示６、あるいは内部の電子機器の表示や操作を示す表示７が設けられている。
【００１６】
また、上記内部ケース３は、図３及び図４に示すように、加入者宅の外部壁面等に取り付けられる平板状の背面板８と、前記背面板８の内面に複数本にわたって立設された脚部９を介して、当該背面板８の表面側に所定の空間を介して配設され、後述する電子部品を収容する収容箱１０とから構成されている。また、上記背面板８の下端部近傍には、光受信器本体２の下端面を覆う下端壁１１が垂直に立設されている。この下端壁１１には、図２及び図６に示すように、電源コード１２が挿通される切り欠き部１３が設けられているとともに、電気信号に変換された画像信号である映像用ＲＦ信号を取り出す同軸ケーブルを取り付けるコネクタ１４を挿通する挿通孔１５が開設されている。この挿通孔１５の外周には、二重円筒状に形成された保護壁１６が下向きに突設されている。
【００１７】
さらに、上記内部ケース３の収容箱１０は、図３及び図４に示すように、外周が側壁１７によって囲まれているとともに、内部が上下２段階に分割されており、上段部１８が相対的に低く、下段部１９が相対的に高く形成されている。また、上記上段部１８と下段部１９との境界には、略Ｖ字形状の切り込み部２０が設けられ、当該切り込み部２０の一側面は開口２１されて、収容箱１０の表面側と裏面側とを繋ぐように構成されている。
【００１８】
また、上記収容箱１０の下端部近傍には、図３及び図４に示すように、引き込み用の光ファイバの端部を、所定の曲率で収容する成端手段としての主たる成端用壁部２２が立設されている。この成端用壁部２２は、一部が切り欠かれた平面略楕円形状の薄肉の立壁から構成されており、当該成端用壁部２２の外周に、引き込み用の光ファイバの端部を巻き付けるようになっている。上記平面略楕円形状に形成された成端用壁部２２は、光ファイバを介して伝送される光信号が減衰するのを抑制するため、所定の曲率より小さく（曲率半径Ｒが大きく）なるように形成されている。
【００１９】
また、上記内部ケース３の収容箱１０の下端部左端には、図５に示すように、引き込み用の光ファイバを固定する光ファイバ固定用のカバー２３が設けられている。この光ファイバ固定用のカバー２３は、横長の平板状に形成されており、当該カバー２３の下部に形成された凹所２４に、スポンジ状のクッション部材２５を収容した状態で、引き込み用の光ファイバを挿通し、当該光ファイバを上部から光ファイバ固定用のカバー２３で押さえてネジ２６止めすることにより、光ファイバを固定するように構成されている。
【００２０】
さらに、上記内部ケース３の収容箱１０の中央部左端には、図４に示すように、スリーブ２７設置用の縦方向に延びたスリット２８が複数本設けられている。また、上記内部ケース３の収容箱１０の中央部には、光ファイバ同士を接続する第１の光コネクタ２９が固定した状態で取り付けられているとともに、当該第１の光コネクタ２９の下側には、図３に示すように、同じ位置に第２の光コネクタ３０が固定した状態で取り付けられている。
【００２１】
また、上記内部ケース３の収容箱１０の上段部１８は、図４に示すように、その下段部１９よりも一段低く形成されており、当該収容箱１０の上段部１８には、引き込み用の光ファイバの端部を、所定の曲率で収容する成端手段としての補助の成端用壁部３１が立設されている。この補助の成端用壁部３１は、平面略楕円形状に突出するように形成されており、当該補助の成端用壁部３１の外周に、引き込み用の光ファイバなどの端部を巻き付けるようになっている。上記平面略楕円形状に形成された補助の成端用壁部３１も、光ファイバを介して伝送される光信号が減衰するのを抑制するため、所定の曲率より小さく（曲率半径Ｒが大きく）なるように形成されている。
【００２２】
ところで、この実施の形態では、引き込み用の光ファイバを介して伝送されてくる画像信号と通信信号とを受信し、前記引き込み用の光ファイバを介して伝送されてくる画像信号を電気信号に変換する光受信機において、前記引き込み用の光ファイバの端部を、所定の曲率で収容する成端手段と、前記引き込み用の光ファイバを介して伝送されてくる画像信号を電気信号に変換する光電変換手段と、前記電気信号に変換された画像信号の利得が一定となるように利得を自動的に制御する自動利得制御手段とを、前記光受信機本体の内部に収容するように構成されている。
【００２３】
上記光受信器１は、図７に示すように、例えば、ＣＡＴＶ加入者宅３２の外部の壁面３２ａに取り付けて使用される。ＣＡＴＶのセンター３３からは、２芯の光ファイバ線路３４を介して、光信号からなる映像信号と通信信号とが配信される。上記２芯の光ファイバ線路３４を介して伝送される光信号からなる映像信号と通信信号は、加入者宅３２の近傍でスプリッタ３５によって分岐され、２芯の引き込み用の光ファイバ３６を介して、加入者宅３２に設けられた光受信器１に入力される。
【００２４】
上記光受信器１に接続された２芯の引き込み用の光ファイバ３６は、当該光受信器１によって映像信号用の光ファイバと、通信信号用の光ファイバに分岐され、映像信号用の光ファイバは、映像信号が電気信号に変換された後、映像用のＲＦ信号を出力する同軸ケーブル３７を介してテレビ等の映像機器に接続される。また、上記通信信号用の光ファイバ３８は、そのまま加入者宅３２の内部に引き込まれ、ＰＯＮ端末器３９やルータ４０等を介して、パソコンや電話、ファックス等に接続されるようになっている。
【００２５】
また、上記光受信器１は、上述したように、ＣＡＴＶ加入者宅３２の外部の壁面３２ａに取り付けて使用されるが、当該光受信器１の本体２は、図５に示すように、内部ケース３の背面板８に設けられた本体固定用のビス孔４１を介して、ＣＡＴＶ加入者宅３２の外部壁面３２に取り付けられる。また、上記内部ケース３の背面板８には、図５（ｂ）に示すように、その上端部に外部カバー４が不本位に開けられるのを防止するため、カバー固定用のビス孔４２が設けられている。このカバー固定用のビス孔４２を図示しないビスで止めることにより、後述するように、外部カバー４を上方にスライドさせる操作を阻止し、不本位に光受信器１が操作されるのを防止するように構成されている。
【００２６】
さらに、上記内部ケース３の背面板８には、図３（ｂ）に示すように、その外周よりやや内側 の上端部及び両側部に、低い起立部４３が立設されており、当該起立壁４３の上端部には、外周へ向けて短いフランジ部４４が突設されている。一方、外部カバー４の背面側の開口部の上端縁には、図３（ｄ）に示すように、内部ケース３のフランジ部４４と係合するフランジ部４５が、内周へ向けて短く突設されている。
【００２７】
また、上記外部カバー４の背面側の開口部の両側縁には、内部ケース３のフランジ部４４と係合する突起４６が、上下に２箇所ずつ内周へ向けて短く突設されている。さらに、上記内部ケース３の背面板８に設けられたフランジ部４４には、図３（ａ）に示すように、その両側縁に外部カバー４を案内する切欠き部を備えたカバー装着ガイド４７が、上下に２箇所ずつ設けられている。このカバー装着ガイド４７は、図３（ｃ）に示すように、外部カバー４の突起４６をガイドして、当該突起４６を係合部４８に係合固定するように構成されている。
【００２８】
このように、上記外部カバー４と内部ケース３とは、起立壁４３及びフランジ部４４等を介して互いに係合され、当該外部カバー４と内部ケース３との隙間から雨滴等の水滴な浸入しようとした場合でも、当該水滴は、内部ケース３の起立壁４３とフランジ部４４との隙間に沿って下方に流れ、光受信器本体２の内部に水滴が浸入するのを防止する防滴構造を採用している。
【００２９】
図８は上記光受信器の電子回路を示すブロック図である。
【００３０】
図８において、５０は光入力としての引き込み用の光ファイバ３６のうち、分岐された画像信号用の光ファイバを示すものであり、この画像信号用の光ファイバ５０は、光信号を電気信号に変換する光電変換手段としてのフォトダイオード５１（例えば、米国オーテル社製、製品番号７８１０Ａ）に受光可能な状態で接続されている。このフォトダイオード５１によって電気信号に変換された画像信号は、ローパスフィルタ（ＬＰＦ）５２によって高周波のノイズ成分が除去された後、自動利得制御手段としてのＡＧＣ（Ａｕｔｏ  Ｇａｉｎ  Ｃｏｎｔｒｏｌ）回路５３に入力され、利得が所定の値となるように自動的にコントロールされる。上記ＡＧＣ回路５３には、フォトダイオード５２からの電気信号が入力されている。
【００３１】
上記ＡＧＣ回路５３によって利得が自動的にコントロールされた画像信号は、ゲインコ ントロール用の可変抵抗器５４によってゲインが所定の値となるようにコントロールされた後、増幅器５５によって増幅される。その後、上記画像信号は、分配器５６によって音声信号と画像信号に分割されて、それぞれ増幅器５７、５８によって増幅された後に、合成器５９によって合成される。そして、上記画像信号は、再度、ローパスフィルタ６０によって高周波のノイズ成分が除去されて映像用のＲＦ信号６１として出力される。
【００３２】
また、上記商用電源である１００Ｖの電源６２は、出力トランス６３を介して、所定の 電圧に降圧された後、ダイオード６４によって整流されるとともに、平滑回路６５によって平滑化されて、直流電源＋ＤＣとして供給される。この直流電源＋ＤＣは、オペアンプ６６に入力され、当該オペアンプ６６を介して光入力レベルを示すＬＥＤ６７が点灯される。また、上記映像用のＲＦ信号６１は、ダイオード６８及び平滑回路６５を介してオペアンプ６６に入力されている。
【００３３】
なお、この構成において、内部において商用電源である１００Ｖの電源６２を直流電源＋ＤＣとするほか、外部電源を別に設け、この外部電源から直流電源＋ＤＣを供給するようにしてもよく、このようにすれば、設置場所が限定される恐れがないばかりか、同軸ケーブル３７に直流電源＋ＤＣを重畳することができるために、電源工事が不要となる。
【００３４】
上記ＡＧＣ（Ａｕｔｏ  Ｇａｉｎ  Ｃｏｎｔｒｏｌ）回路５３は、光の入力レベルが変動した場合、映像用信号が変動するのを防止するための回路である。例えば、図９に示すように、ＣＡＴＶのセンター３３から加入者宅３２に光ファイバ網７０を介して映像用信号が配信される際に、ＣＡＴＶのセンター３３と加入者宅３２との間で、新たに加入者が増えるなどして分岐点７１が増加した場合、光信号からなる映像用信号は、変動することになる。そのため、加入者宅３２に光受信器１を設置した後に、光ファイバの線路７０で設計変更等が発生し、光信号が変動することが考えられる。ＡＧＣ機能が無い場合には、光信号が変動した際に、設計変更した箇所で、再調整をしなければならないことが予想される。このとき、設計変更した際の加入者宅への影響数は多数になり、その加入者宅の再調整を行い、費用・時間等は膨大となってしまう。そのため、光受信器にＡＧＣ機能を搭載することによって、再調整を不要とすることができる。
【００３５】
以上の構成において、この実施の形態に係る光受信器では、次のようにして、装置の小型化や部品点数の低減、及び設置やメンテナンス等の作業性の向上が可能となっている。
【００３６】
すなわち、この実施の形態に係る光受信器１は、図１０に示すように、引き込み用の光ファイバ３６の先端部を固定用カバー２３によって固定した状態で、当該光受信器１の本体２内部に挿通固定する。
【００３７】
また、上記光受信器１は、引き込み用の光ファイバ３６の接続等に際して、光ファイバの融着処理（融着・メカニカルスプライス）が必要な場合、融着処理（融着・メカニカルスプライス）を行った際に、融着スリーブ・メカニカルスプライスは、図１１に示すように、スリーブ設置用のスリット２８に設置して、指でそっと押し込むようにすると良い。
【００３８】
さらに、上記引き込み用の光ファイバ３６は、図１２に示すように、映像用の光ファイバ５０と、通信用の光ファイバ３８とに分岐された状態で、成端用壁部２２の外周や補助の成端用壁部３１の外周に巻き付けられて収納される。その際、上記映像用の光ファイバ５０と通信用の光ファイバ３８の余長端が短い場合には、成端用壁部２２の外周にのみ巻き付けても良いが、余長端が長い場合には、成端用壁部２２と補助の成端用壁部３１との外周に、８の字形状に巻き付けるようにするのが望ましい。
【００３９】
また、上記映像用の光ファイバ５０の先端は、第１の光コネクタ２９等に接続され、図８に示すような電子回路に接続される。なお、上記通信用の光ファイバ３８は、そのまま光受信器本体２から引き出される。
【００４０】
その後、上記光受信器本体２の内部ケース３には、図１３及び図１４に示すように、外部カバー４が被着された後、あるいは外部カバー４が被着される前に、図５に示すように、本体固定用のビス孔４１を介して加入者宅の外壁等に取り付けられるとともに、カバー固定用ビス孔４２を介して外部カバー４が固定され、配線作業及び取り付け作業を終了する。
【００４１】
このように、上記実施の形態に係る光受信器１では、当該光受信器本体２の内部に、光 ファイバ５０と通信用の光ファイバ３８の端部を収容する成端用壁部２２や補助用の成端用壁部３１が設けられているので、別途に成端箱を設ける必要がなく、装置の小型化や作業性の大幅な向上が可能となる。また、上記光受信器１は、ＡＧＣ回路を備えているので、ＣＡＴＶのセンター３３と加入者宅３２との間で、新たに加入者が増えるなどして分岐点７１が増加した場合に、光信号からなる映像用信号が変動した場合であっても、加入者宅の再調整を不要とすることができる。
【００４２】
さらに、上記光受信器本体２では、防滴構造を採用しているので、当該光受信器本体２が加入者宅の外壁等の取り付けに便利な位置に配置された場合であっても、雨滴等を防ぐことができ、機能を長期間維持することが可能となる。
【００４３】
また、上記光受信器１では、上記の如く機能的に優れているため、光受光範囲として、＋１〜−６ｄＢｍというように広い範囲、さらには−２〜−１０ｄＢｍというように広い範囲を実現することができ、従来の光受信器の光受光範囲が、＋１〜−４／−５ｄＢｍであったのに対して、受光範囲が広くなり、伝送距離が長くなる。
【図面の簡単な説明】
【００４４】
【図１】図１は本発明の一実施の形態に係る光受信器を示す概略構成図である。
【図２】図２は本発明の一実施の形態に係る光受信器を示す構成図である。
【図３】図3は本発明の一実施の形態に係る光受信器の内部ケースを示す斜視構成図である。
【図４】図４は本発明の一実施の形態に係る光受信器の内部ケースを示す平面図である。
【図５】図５は本発明の一実施の形態に係る光受信器の取り付け部を示す構成図である。
【図６】図６は本発明の一実施の形態に係る光受信器を示す底面図である。
【図７】図７は本発明の一実施の形態に係る光受信器が使用される光ファイバ網を示す模式図である。
【図８】図８は本発明の一実施の形態に係る光受信器を示すブロック図である。
【図９】図９は本発明の一実施の形態に係る光受信器が用いられる光ファイバ網を示す模式図である。
【図１０】図１０は本発明の一実施の形態に係る光受信器の使用状態を示す構成図である。
【図１１】図１１は本発明の一実施の形態に係る光受信器の使用状態を示す構成図である。
【図１２】図１２は本発明の一実施の形態に係る光受信器の使用状態を示す構成図である。
【図１３】図１３は本発明の一実施の形態に係る光受信器のカバーの取り付け状態を示す斜視構成図である。
【図１４】図１４は本発明の一実施の形態に係る光受信器のカバーの取り付け状態を示す斜視構成図である。
【図１５】図１５は従来の光受信器を示す構成図である。
【符号の説明】
【００４５】
１：光受信器、２：光受信器本体、２２：成端部、３１：補助用の成端部、３６：引き込み用の光ファイバ。
【図１】
2005227663.tif 000003
【図２】
2005227663.tif 000004
【図３】
2005227663.tif 000005
【図４】
2005227663.tif 000006
【図５】
2005227663.tif 000007
【図６】
2005227663.tif 000008
【図７】
2005227663.tif 000009
【図８】
2005227663.tif 000010
【図９】
2005227663.tif 000011
【図１０】
2005227663.tif 000012
【図１１】
2005227663.tif 000013
【図１２】
2005227663.tif 000014
【図１３】
2005227663.tif 000015
【図１４】
2005227663.tif 000016
【図１５】
2005227663.tif 000017